(57)【要約】【課題】扱室を開放する際に、扱室の上部カバーとオーガの接触を防止する。【解決手段】茎稈から穀粒を脱穀する扱室１２と、脱穀した穀粒を貯溜する穀粒タンク４と、該穀粒タンク４内の穀粒を搬出するオーガ５とを備えると共に、該オーガ５を、扱室１２の上方に格納するコンバイン１であって、扱室１２の上部を、上下動自在な上部カバー１３によって開閉すると共に、該上部カバー１３を、ガススプリングＳによって上昇動作させるにあたり、ガススプリングＳによる上部カバー１３の上昇動作を、所定の半開位置で一旦規制すると共に、この上昇規制位置を、オーガ５よりも下方に設定する。【選択図】        図２
2004173588.tif 000002
【特許請求の範囲】
【請求項１】
茎稈から穀粒を脱穀する扱室と、脱穀した穀粒を貯溜する穀粒タンクと、該穀粒タンク内の穀粒を搬出するオーガとを備えると共に、該オーガを、前記扱室の上方に配置した脱穀機において、前記扱室の上部を、上下動自在な上部カバーによって開閉すると共に、該上部カバーを、上部カバー上昇動作手段によって上昇動作させるにあたり、前記上部カバー上昇動作手段による上部カバーの上昇動作を、所定の半開位置で一旦規制する上部カバー上昇規制手段を設けると共に、該上部カバー上昇規制手段による上部カバーの上昇規制位置を、前記オーガよりも下方に設定したことを特徴とする脱穀機。
【請求項２】
前記上部カバー上昇動作手段は、上部カバーを全開位置又はその近傍まで上昇動作させるガススプリングであり、前記上部カバー上昇規制手段は、上部カバーが所定の半開位置まで上昇したとき、その上昇動作を規制することを特徴とする請求項１記載の脱穀機。
【請求項３】
前記上部カバー上昇規制手段は、全開位置又はその近傍で上部カバーの下降を規制する上部カバー下降規制ストッパに設けられることを特徴とする請求項１又は２記載の脱穀機。
【発明の詳細な説明】
【０００１】
【発明の属する技術分野】
本発明は、コンバイン等に搭載される脱穀機の技術分野に属するものである。
【０００２】
【従来の技術】
扱室の清掃や点検を容易にするために、扱室の上部カバーを開閉自在に構成した脱穀機が知られている（例えば、特許文献１、２参照。）。一般に、この種の脱穀機では、扱室フレームと上部カバーとの間に、上部カバー上昇動作手段（ガススプリング、電動シリンダなど）を介設し、その付勢力又は駆動力で上部カバーを上昇動作させるようになっている。
【０００３】
【特許文献１】
特開平９−２３８５５５号公報（第４頁、第２図）
【特許文献２】
特開平９−２９８９３７号公報（第３−４頁、第２図）
【０００４】
【発明が解決しようとする課題】
ところで、脱穀機のなかには、穀粒タンク内の穀粒を搬出するオーガを備えると共に、このオーガを扱室の上方に配置したものがある。このように構成された脱穀機では、上部カバーを上昇させたとき、上部カバーがオーガに接触する可能性がある。
【０００５】
因みに、特許文献２に示される脱穀機は、上部カバーを半開位置及び全開位置で下降規制する下降防止ストッパを備えるが、この下降防止ストッパは、上部カバーの上昇動作を規制するものではなく、しかも、下降規制位置がオーガ位置とは無関係に設定されているため、特許文献１のものと同様、上昇動作時に上部カバーがオーガに接触する可能性がある。
【０００６】
【課題を解決するための手段】
本発明は、上記の如き実情に鑑みこれらの課題を解決することを目的として創作されたものであって、茎稈から穀粒を脱穀する扱室と、脱穀した穀粒を貯溜する穀粒タンクと、該穀粒タンク内の穀粒を搬出するオーガとを備えると共に、該オーガを、前記扱室の上方に配置した脱穀機において、前記扱室の上部を、上下動自在な上部カバーによって開閉すると共に、該上部カバーを、上部カバー上昇動作手段によって上昇動作させるにあたり、前記上部カバー上昇動作手段による上部カバーの上昇動作を、所定の半開位置で一旦規制する上部カバー上昇規制手段を設けると共に、該上部カバー上昇規制手段による上部カバーの上昇規制位置を、前記オーガよりも下方に設定したことを特徴とする。つまり、上部カバーを上昇動作させると、オーガの下方で上部カバーが一旦停止するため、上部カバーとオーガとの接触を防止することができる。
また、前記上部カバー上昇動作手段は、上部カバーを全開位置又はその近傍まで上昇動作させるガススプリングであり、前記上部カバー上昇規制手段は、上部カバーが所定の半開位置まで上昇したとき、その上昇動作を規制することを特徴とする。この場合においては、ガススプリングの付勢力で上昇する上部カバーがオーガに接触することを防止できる。
また、前記上部カバー上昇規制手段は、全開位置又はその近傍で上部カバーの下降を規制する上部カバー下降規制ストッパに設けられることを特徴とする。この場合においては、上部カバー上昇規制手段と上部カバー下降規制ストッパとを別々に構成する場合に比べ、構造の簡略化や部品点数の削減を図ることができる。
【０００７】
【発明の実施の形態】
次に、本発明の実施の形態の一つを図面に基づいて説明する。図面において、１はコンバインであって、該コンバイン１は、茎稈を刈り取る前処理部２と、刈り取った茎稈から穀粒を脱穀し、かつ、穀粒を選別する脱穀部（脱穀機）３と、選別した穀粒を貯溜する穀粒タンク４と、該穀粒タンク４に貯溜された穀粒を機外に搬出するオーガ５と、脱穀済みの排稈を排出する後処理部６と、各種の操作具が配置される操作部７と、クローラ式の走行部８とを備えて構成される。
【０００８】
オーガ５は、穀粒タンク４の後部に立設される旋回自在な縦パイプ９と、該縦パイプ９の上端部に昇降自在に連結される横パイプ１０とを備えて構成される。縦パイプ９及び横パイプ１０には、螺旋搬送体（図示せず）が組み込まれており、その回転駆動によって穀粒タンク４内の穀粒が横パイプ１０の先端まで搬送される。
【０００９】
横パイプ１０は、旋回モータ（図示せず）の駆動に伴って縦パイプ９と共に旋回動作し、また、縦パイプ９との間に介設される昇降シリンダ（図示せず）の伸縮に伴って昇降動作する。これにより、横パイプ１０を任意の位置に動かし、穀粒の排出作業を行うことが可能になる。一方、非排出作業時には、横パイプ１０が所定の格納位置に格納される。この格納位置は、脱穀部３の上方位置に確保されており、ここに格納された横パイプ１０は、所定の間隔を存して、脱穀部３の上面と略平行になる。
【００１０】
脱穀部３は、扱胴１１が回転自在に内装される扱室１２を備えている。扱室１２の上部には、扱室１２の清掃や点検を行うための開口部が形成され、この開口部が上部カバー１３によって開閉される構成となっている。上部カバー１３は、扱室１２の上方を覆うカバー本体１３ａと、該カバー本体１３ａの前端部及び後端部に設けられる側板１３ｂとを備えて構成されており、カバー本体１３ａの右端部が、支軸１４を介して、脱穀部フレーム１５に上下回動自在に支持されている。また、本実施形態では、扱胴１１が上部カバー１３の側板１３ｂによって支持されている。そのため、上部カバー１３を開放操作すると、扱胴１１も一緒に上昇し、扱室１２を大きく開放させることが可能になる。
【００１１】
上部カバー１３と扱室フレーム１６との間には、上部カバー１３を上昇動作させる上部カバー上昇動作手段が設けられる。本実施形態の上部カバー上昇動作手段は、上部カバー１３の下降（閉鎖）に伴って縮小されると共に、縮小時に蓄勢された蓄勢力（伸長方向の付勢力）で上部カバー１３を上昇（開放）させるガススプリングＳによって構成されている。本実施形態のガススプリングＳは、上部カバー１３（扱胴１１を含む）の荷重と略バランスするように蓄勢力が設定され、上部カバー１３の開閉操作荷重を軽減させるが、ガススプリングＳの蓄勢力を、上部カバー１３の荷重に勝るように設定し、上部カバー１３を自動的に上昇させるようにしてもよい。また、上部カバー上昇動作手段には、油圧シリンダ、電動シリンダなどのアクチュエータを用いてもよく、この場合には、上部カバー１３の開閉操作を自動的に行うことが可能になる。
【００１２】
脱穀部３は、全閉位置で上部カバー１３の上昇をロックする上部カバーロック機構（図示せず）と、全開位置又はその近傍で上部カバー１３の下降を規制する上部カバー下降規制ストッパ機構（上部カバー下降規制ストッパ）１７とを備える。上部カバーロック機構は、上部カバー１３が全閉操作されたとき、上部カバー１３を自動的に係止すると共に、この係止を、ロック解除レバー（図示せず）の操作に応じて解除するように構成されている。
【００１３】
上部カバー下降規制ストッパ機構１７は、ストッパピン１８、ストッパアーム１９、ストッパ解除レバー２０などを備えて構成される。ストッパピン１８は、上部カバー１３の開閉と共に上下動するように、上部カバー１３の回動支点近傍位置に突設される。ストッパアーム１９は、脱穀部フレーム１５における支軸１４の近傍位置に、アーム支軸２１を介して左右回動自在に設けられると共に、一側面が常にストッパピン１８に接当するように、下端部がスプリング２２で付勢されている。ストッパアーム１９の一側面上端部には、下降規制用係止溝１９ａが形成されており、上部カバー１３を全開位置まで上昇させると、ストッパピン１８が下降規制用係止溝１９ａで係止され、上部カバー１３の下降が規制される。
【００１４】
ストッパ解除レバー２０は、上部カバー１３の先端部（左端部）に上下回動自在に設けられている。ストッパ解除レバー２０の基端部には、第一連結ロッド２３が連結され、更に、第一連結ロッド２３には、ベルクランク２４を介して第二連結ロッド２５が連結されている。第二連結ロッド２５の先端部には、係合ピン２６が設けられ、この係合ピン２６が、ストッパアーム１９の係合孔１９ｂに係合している。つまり、ストッパ解除レバー２０を上方に操作すると、第二連結ロッド２５の係合ピン２６がストッパアーム１９の上端部を右方向に押し、ストッパアーム１９が右方向へ回動される。これにより、ストッパピン１８がストッパアーム１９の下降規制用係止溝１９ａから外れ、上部カバー１３の下降が許容される。
【００１５】
更に、脱穀部３は、上部カバー１３の上昇動作を、所定の半開位置で一旦規制する上部カバー上昇規制手段を備えている。具体的には、ストッパアーム１９における下降規制用係止溝１９ａの下方近傍位置に、上昇規制用係止溝１９ｃを形成することにより、本実施形態の上部カバー上昇規制手段が構成される。この上昇規制用係止溝１９ｃは、ストッパピン１８の上昇方向への動きを規制し、下降方向への動きを許容するように形状が設定される。従って、ストッパアーム１９は、特開平９−２９８９３７号公報に示されるストッパアームと形状が類似するものの、その作用は明らかに相違したものとなる。
【００１６】
上昇規制用係止溝１９ｃによる上部カバー１３の上昇規制位置は、オーガ５（横パイプ１０）よりも下方に設定されている。つまり、上部カバー１３を上昇動作させると、ストッパピン１８がストッパアーム１９の上昇規制用係止溝１９ｃに係止されることにより、上部カバー１３がオーガ５の下方近傍位置で一旦停止することになる。これにより、オーガ５を格納した状態で上部カバー１３を上昇操作しても、上部カバー１３とオーガ５との接触を回避することが可能になる。また、オーガ５が非格納位置にあるときは、上部カバー１３を上記半開位置まで一旦上昇させた後、ストッパ解除レバー２０を操作することにより、上部カバー１３の全開が許容される。
【００１７】
叙述の如く構成されたものにおいて、茎稈から穀粒を脱穀する扱室１２と、脱穀した穀粒を貯溜する穀粒タンク４と、該穀粒タンク４内の穀粒を搬出するオーガ５とを備えると共に、該オーガ５を、扱室１２の上方に格納するコンバイン１であって、扱室１２の上部を、上下動自在な上部カバー１３によって開閉すると共に、該上部カバー１３を、ガススプリングＳによって上昇動作させるにあたり、ガススプリングＳによる上部カバー１３の上昇動作を、所定の半開位置で一旦規制すると共に、この上昇規制位置を、オーガ５よりも下方に設定したため、上部カバー１３とオーガ５との接触を防止することができる。
【００１８】
また、全開位置又はその近傍で上部カバー１３の下降を規制する既存の上部カバー下降規制ストッパ機構１７を備え、該上部カバー下降規制ストッパ機構１７のストッパアーム１９に上昇規制用係止溝１９ｃを追加することにより、上部カバー１３の上昇規制を行うため、構造の簡略化や部品点数の削減を図ることができる。
【００１９】
尚、本発明は、前記実施形態に限定されないことは勿論であって、例えば、上部カバー上昇手段を油圧シリンダ、電動シリンダなどのアクチュエータで構成した脱穀機においても、本発明の実施が可能である。この場合には、アクチュエータ又は上部カバーの動作位置を検出する手段と、該手段の検出位置に基づいて、アクチュエータの上昇動作を停止させる手段とによって、上部カバー上昇規制手段が構成される。
【図面の簡単な説明】
【図１】コンバインの側面図である。
【図２】コンバインの要部後面図である。
【図３】脱穀部の後面図である。
【図４】上部カバー下降規制ストッパ機構（上部カバー上昇規制手段を含む）の要部後面図である。
【符号の説明】
１      コンバイン
３      脱穀部
４      穀粒タンク
５      オーガ
９      縦パイプ
１０    横パイプ
１１    扱胴
１２    扱室
１３    上部カバー
１４    支軸
１７    上部カバー下降規制ストッパ機構
１８    ストッパピン
１９    ストッパアーム
１９ａ  下降規制用係止溝
１９ｃ  上昇規制用係止溝
２０    ストッパ解除レバー
Ｓ      ガススプリング
【図１】
2004173588.tif 000003
【図２】
2004173588.tif 000004
【図３】
2004173588.tif 000005
【図４】
2004173588.tif 000006